(57)【要約】【課題】皮膚に対して適用された組成物を、皮膚に対する刺激を小さなものとしつつ、除去し得るような洗浄デバイスを提供すること。【解決手段】皮膚を洗浄するためのデバイス（１）であって、洗浄部材を具備し、この洗浄部材が、皮膚と接触しつつ動かされる洗浄表面を備え、この洗浄表面（５）が、発泡体とは異なる弾性変形可能な合成材料から形成され、洗浄表面（５）が、アンダーカット（Ｓ）をもたらすキャビティ（Ｃ）を有している。【選択図】図８
2007083040.tif 000002
【特許請求の範囲】
【請求項１】
皮膚を洗浄するためのデバイス（１）であって、
洗浄部材を具備し、
この洗浄部材が、皮膚と接触しつつ動かされる洗浄表面を備え、
この洗浄表面（５）が、発泡体とは異なる弾性変形可能な合成材料から形成され、
前記洗浄表面（５）が、アンダーカット（Ｓ）をもたらすキャビティ（Ｃ）を有していることを特徴とするデバイス。
【請求項２】
請求項１記載のデバイスにおいて、
前記キャビティ（Ｃ）が、前記洗浄表面上において非一様に分散していることを特徴とするデバイス。
【請求項３】
請求項１または２記載のデバイスにおいて、
前記洗浄表面（５）が、前記洗浄部材（４）をなす弾性変形可能なメンブランによって形成されていることを特徴とするデバイス。
【請求項４】
請求項３記載のデバイスにおいて、
前記メンブランが、その周縁部のところにおいて、ハンドル（２）のフレーム（３）に固定されていることを特徴とするデバイス。
【請求項５】
請求項１〜４のいずれか１項に記載のデバイスにおいて、
前記洗浄部材（４）が、前記洗浄表面（５）とは反対側の面上に、フィンガー（３６）を備え、
前記フィンガー（３６）が使用者によって押圧されたときには、前記洗浄表面の変形が引き起こされることを特徴とするデバイス。
【請求項６】
請求項１〜５のいずれか１項に記載のデバイスにおいて、
前記洗浄表面（５）が、外力を受けていない状態においては、膨出した形状を有していることを特徴とするデバイス。
【請求項７】
請求項１〜４のいずれか１項に記載のデバイスにおいて、
前記洗浄部材が、レセプタクルを閉塞するための蓋（５０）に対して固定されていることを特徴とするデバイス。
【請求項８】
キットであって、
・ハンドル部材と；
・皮膚に対して接触し得るものとされた互いに異なる少なくとも２つの表面と；
を具備し、
前記表面が、洗浄部材、マッサージ部材、および、適用部材の少なくとも１つに設けられ、
前記洗浄部材と前記マッサージ部材と前記適用部材とが、前記ハンドル部材に対して交換可能に取り付けられ得るものとされ、
前記表面のうちの少なくとも１つが、発泡体とは異なる弾性変形可能な合成材料から形成されているとともに、アンダーカット（Ｓ）をもたらすキャビティ（Ｃ）を有していることを特徴とするキット。
【請求項９】
皮膚を洗浄するための洗浄表面を形成するための方法であって、
・粗い表面（Ａ）の陰型（Ｅ）を形成し；
・前記陰型のモールド（Ｍ）を形成し；
・前記モールドに対して接触させつつ発泡体とは異なる弾性変形可能な合成材料を成型し、これにより、前記洗浄表面を形成する；
ことを特徴とする方法。
【請求項１０】
皮膚を化粧する方法であって、
・特にフィルム形成用組成物といったような組成物を皮膚に対して適用し；
・請求項１〜７のいずれか１項に記載の洗浄デバイス（１）を使用することによって、前記組成物を除去する；
ことを特徴とする方法。
【発明の詳細な説明】
【技術分野】
【０００１】
本発明は、皮膚を洗浄するためのデバイスに関するものである。このデバイスは、皮膚と接触しつつ移動される洗浄表面を備えている。
【背景技術】
【０００２】
多数の皮膚洗浄デバイスが公知である。
【０００３】
例えばコードによって囲まれた石やマッサージ手袋といったようないくつかのものは、比較的に刺激が強いものであり、ほこりを蓄積する傾向があり、非衛生的である。
【０００４】
加えて、膜を形成するようなある種の化粧用組成物を除去するに際しては、機械的な作用が要求されることがあり、このような場合、可能であれば、皮膚を刺激することなく実施されるべきである。
【０００５】
特許文献１には、洗浄デバイスが開示されており、この洗浄デバイスにおいては、洗浄表面は、発泡体によって形成されている。この場合、所望の摩耗特性を有したものとしてその発泡体を得ることは、比較的困難である。
【０００６】
皮膚に対する刺激が少なく、かつ、衛生的であり、かつ、死んだ皮膚細胞とか例えば顔や身体に対して適用された組成物とかいったようなものを適切に除去し得るような、洗浄デバイスが、要望されている。
【０００７】
また、再現性が良好であるようにして、所望の摩耗特性を呈する洗浄表面を得ることを可能とすることが、要望されている。
【特許文献１】米国特許第５，６７１，４９８号明細書
【発明の開示】
【課題を解決するための手段】
【０００８】
一見地においては、本発明は、皮膚洗浄デバイスを提供するものであり、このデバイスは、洗浄部材を具備し、この洗浄部材は、皮膚と接触しつつ動かされる洗浄表面を備えている。
【０００９】
特徴的な態様においては、洗浄部材が、発泡体とは異なる弾性変形可能な合成材料から形成された洗浄表面を備え、洗浄表面が、アンダーカット（凹角）をもたらすキャビティを有している。
【００１０】
この場合、複数のキャビティは、各々が、少なくとも１つのアンダーカットを提供することができる。洗浄表面は、さらに、アンダーカットを有していないキャビティを有することができる。
【００１１】
本発明においては、使用者は、衛生的であるという点において、洗浄デバイスから利益を享受する。なぜなら、洗浄デバイスが、洗濯可能な合成材料を使用しているからである。
【００１２】
加えて、キャビティは、成型によって形成することができる。これにより、洗浄表面を良好に再現することができる。
【００１３】
最後に、弾性変形可能な材料を使うことにより、洗浄表面が皮膚に対して刺激を与え過ぎないことを保証することができる。
【００１４】
また、キャビティ内におけるアンダーカット表面の存在は、弾性変形可能な材料を使用することによって可能とされている。弾性変形可能な材料は、有利には、粗い表面の陰型を再現することができる。
【００１５】
キャビティは、洗浄表面上にわたって非一様に分散させることができる、および／または、キャビティは、互いに異なる形状のものとすることができる。
【００１６】
キャビティの最大寸法は、５ｍｍ以下とすることができる。例えば、２ｍｍ以下とすることができる。
【００１７】
洗浄表面は、洗浄部材をなす弾性変形可能なメンブランによって形成することができる。洗浄表面は、使用時にはより大きな快適さをもたらし得るとともに、処理の可能性を拡大させることができる。それは、特に、洗浄表面の弾性変形性が増大されたことに基づく。
【００１８】
例えばメンブランといったような洗浄部材の周縁部は、ハンドルのフレームに対して固定することができる。これにより、使用者は、例えばフレームを貫通させつつ洗浄表面とは反対側の面から洗浄表面を押圧することにより、洗浄部材に対して圧力を印加することができる。
【００１９】
洗浄部材は、例えばメンブランは、洗浄表面とは反対側の面上に、フィンガーを備えることができる。これにより、使用者は、フィンガーを押圧することによって、洗浄表面を変形させることができる。
【００２０】
デバイスは、曲げ可能なハンドルを備えることができる。これにより、人間工学的な使用を行うことができる。
【００２１】
洗浄部材は、着脱可能なものとすることができる。これにより、洗浄をより容易に行うことができる、および／または、使用者は、洗浄デバイスの１つの共通のハンドル部材を、様々に異なる特性を有したような例えば表面状態が互いに異なるようなあるいは例えば形状が互いに異なるような複数の洗浄部材に関連して使用することができる。
【００２２】
洗浄デバイスは、ハンドル部材を備えることができ、例えば、長尺のハンドルを備えることができる。洗浄部材は、洗浄表面を形成している弾性変形可能材料を支持するための支持部材を備えることができる。支持部材は、好適には、ハンドル部材に対して着脱可能に取り付けられ得るものとされる。
【００２３】
また、洗浄部材は、ハンドル上にオーバーモールドすることができる。
【００２４】
支持部材は、洗浄表面を形成している材料と比較して、より剛直な材料から形成することができる。
【００２５】
例示するならば、支持部材は、リングとすることができる。
【００２６】
外力を受けていない状態においては、洗浄表面は、膨出した形状を呈することができる。
【００２７】
洗浄デバイスは、さらに、マッサージ部材を備えることができる。例えば、洗浄部材とマッサージ部材とは、ハンドルの互いに反対側の端部に配置することができる。
【００２８】
本発明の一実施形態においては、洗浄部材は、レセプタクルを閉塞するための蓋に対して固定される。適切であれば、レセプタクルは、化粧用の組成物や皮膚病用の組成物を収容することができる、特に、フィルム形成組成物を収容することができる。そのような組成物は、除去に際して、洗浄部材によって機械的作用が印加されることを必要とされるものである。
【００２９】
蓋は、適切であれば、適用部材を保持するためのハンドル部材として使用することができる。
【００３０】
また、他の見地においては、本発明は、キットを提供するものであり、このキットは、
−例えばフィルム形成用組成物といったような組成物を、適用に供し得る態様で、収容しているレセプタクルと；
−レセプタクルを閉塞するための蓋に対して固定されている上述の洗浄部材と；
−蓋またはレセプタクルに対して固定されるとともに、組成物を適用し得る適用部材と；
を具備している。
【００３１】
適用部材が設けられていない場合には、使用者は、例えば、手または指を使用することができる。
【００３２】
本発明の他の見地においては、また、本発明は、キットを提供するものであって、このキットは、
・ハンドル部材と；
・皮膚に対して接触し得るものとされた互いに異なる少なくとも２つの表面と；
を具備し、
表面は、洗浄部材とマッサージ部材と適用部材とのうちの少なくともいずれかに設けられ、洗浄部材とマッサージ部材と適用部材とは、ハンドル部材に対して交換可能に取り付けられ得るものとされ、表面のうちの少なくとも１つは、発泡体とは異なる弾性変形可能な合成材料から形成されているとともに、アンダーカットをもたらすキャビティを有している。
【００３３】
本発明の他の見地においては、また、本発明は、皮膚を洗浄するための洗浄表面を形成するための方法を提供するものであり、この方法においては、
・粗い表面の陰型を形成し；
・陰型のモールドを形成し；
・モールドに対して接触させつつ発泡体とは異なる弾性変形可能な合成材料を成型し、これにより、洗浄表面を形成する。
【００３４】
本発明の他の見地においては、また、本発明は、皮膚に対して特に化粧を施す方法を提供するものであり、この方法においては、
・例えばフィルム形成用組成物といったような組成物を皮膚に対して適用し；
・上述したような洗浄デバイスを使用することによって、組成物を除去する。
【発明を実施するための最良の形態】
【００３５】
本発明の他の目的や特徴点や利点は、添付図面を参照しつつ、本発明を何ら限定するものではなく単なる例示としての好ましい実施形態に関する以下の詳細な説明を読むことにより、明瞭となるであろう。
【００３６】
図１は、粗い表面Ａを拡大したスケールで概略的に示している。表面Ａは、例えば、紙やすりによって形成されたものや、セメント等のバインダーによって固定された粒子を有した材料表面によって形成されたもの、である。
【００３７】
陰型Ｅが、図２に示すように、粗い表面Ａから形成される。例えば、シリコーンポリマー等のエラストマーによって、形成される。
【００３８】
その後、この陰型を使用することにより、図３に示すように、モールドＭが形成される。
【００３９】
図４に示すように、モールドＭは、粗い表面Ａの表面粗さを実質的に再現した（あるいは、複写した、あるいは、複製した）表面を備えている。
【００４０】
図５に示すように、洗浄部材をなす弾性変形可能な合成材料が、モールドＭに対して接触しつつ成型される。そして、成型後には、弾性変形可能な材料は、図６に示すように、アンダーカットを有した表面Ｓを呈し得るよう、キャビティＣを備えている。
【００４１】
例示するならば、弾性変形可能な合成材料は、熱可塑性的なまたは硬化可能な（あるいは、加硫可能な）エラストマーとされる。限定するものではないけれども、例えば、シリコーンポリマー、エチレンプロピレンジエンモノマー（ＥＰＤＭ）ゴム、ラテックス、ポリウレタンエラストマー、ポリエチレン、ポリエーテル、ポリスチレン、ポリ酢酸ビニル（ＰＶＡ）、ポリ塩化ビニル（ＰＶＣ）、スチレンエチレンスチレン（ＳＥＳ）、または、スチレンエチレンブチレンスチレン（ＳＥＢＳ）、とされる。
【００４２】
このエラストマー材料は、開放セルあるいは半開放セルあるいは閉塞セルを有した発泡体（あるいは、フォーム）とは異なるものである。
【００４３】
キャビティＣの寸法は、元々の粗い表面Ａの寸法に依存する。このことは、キャビティの分布に関しても、当てはまる。分布は、一様なものとも、また、非一様なものとも、することができる。
【００４４】
キャビティＣの最大寸法ｄｍａｘ は、例えば、５ｍｍ以下とされ、あるいは、２ｍｍ以下とさえされる。
【００４５】
図７および図８は、皮膚洗浄デバイス１を示している。デバイス１は、ヘッド３を有したハンドル２を備えている。ヘッド３には、皮膚洗浄部材４が設けられている。
【００４６】
洗浄部材４は、皮膚を洗うために使用される表面５を有している。この表面５は、上述したように、粗い表面Ａの凹凸を再現したモールドＭに対して接触しつつ成型されたものである。
【００４７】
よって、洗浄表面５のキャビティＣは、図７に概略的に示すように、アンダーカットを有した表面Ｓを呈する。
【００４８】
図７に示す例においては、洗浄部材４は、中実のものであって、ヘッド３の面８に対して固定されている。面８は、ハンドル２のハンドル形成ボディ９の長手方向軸線Ｘに対して角度αを形成している。この例においては、洗浄表面５は、軸線Ｘと同じサイドに位置している。これにより、特に顔面に関し、人間工学的な洗浄を改良することができる。
【００４９】
例示するならば、洗浄部材４は、面８に対して固着される。しかしながら、変形例においては、洗浄部材は、他の手法によって固定することができる。例えば、熱シールによって、あるいは、オーバーモールドによって、あるいは、ネジ止めやスナップ止め等の機械的固定によって、あるいは、ベルクロ（登録商標）タイプの、フックとループとからなる手段による固定によって、固定することができる。
【００５０】
洗浄表面５を形成する洗浄部材エラストマー材料は、有利には、十分なフレキシブルさを有したものとして選択される。これにより、図８に示すように、使用者は、指でわずかな圧力を印加することによって、洗浄表面５を変形させることができる。
【００５１】
洗浄表面５は、全体的に膨出しているような形状を有することができる。膨出は、例えば、実質的に球形または楕円形のものとされる。
【００５２】
洗浄表面５は、図９に示すように、さらに、複数のファセット（あるいは、小分割面）１１を有することができる。
【００５３】
洗浄表面５は、全体にわたって、実質的に同じ表面粗さを有することができる。あるいは、変形例においては、洗浄表面５は、例えば異なる表面粗さといったように、互いに異なる特性を有した複数の領域を有することができる。
【００５４】
よって、例示するならば、図９の例におけるファセット１１は、同じ表面粗さを有することも、また、互いに異なる表面粗さを有することも、できる。適切であれば、後者の構成により、使用者は、洗浄表面の中から、例えば組成物からなる堆積物の剥離や除去といったような実施すべき処理に対応した表面粗さおよび／または凹凸度合いを有した領域を選択することができる。
【００５５】
図７および図８の例においては、ヘッド３およびハンドルには、開口が形成されていない。変形例においては、ヘッド３を、開口したものとすることができる。これにより、特に、図１０〜図１３へに示すように、ヘッド３をフレームとして形成することができる。
【００５６】
この場合、洗浄部材４は、メンブランの形態とすることができ、このメンブランの周縁部を、フレーム３に対して固定することができる。適切であれば、使用者は、メンブランのうちの、洗浄表面５とは反対側に位置した面１３を押圧することができる。これにより、図１３に示すようにして、メンブランを変形させることができ、これにより、例えば、洗浄表面５と皮膚との間における接触度合いを変化させ得るようメンブランを引き伸ばすことができる、あるいは、皮膚に対してより大きな圧力を印加することができる。
【００５７】
有利には、メンブラン４のフレキシブルさにより、図１２に示すように、処理対象をなすボディ領域に対して接触させるようにあるいは処理対象をなす面領域に対して接触させるようにメンブランを変形させることができる。
【００５８】
洗浄部材４が、図１４に示すように、スナップ止めによってハンドル２に対して固定される場合には、洗浄部材４の周縁部は、フレーム３の環状ビード１６上へとスナップ係合し得るよう構成された環状グルーブ１５を備えることができる。
【００５９】
図１４の例においては、洗浄部材４は、洗浄表面とは反対側の面上に凹所１７を有したものとして、形成されている。変形例においては、洗浄部材４は、図１５に示すように、そのような凹所を有することなく形成することができる。
【００６０】
洗浄部材４は、単一部材をなすエラストマー材料として形成することができる。あるいは、変形例においては、洗浄部材４は、図１６に示すように、エラストマー材料を支持するための支持部材を備えることができる。支持部材は、より剛直な材料から形成される。
【００６１】
例示するならば、洗浄表面５は、２つの材料の射出成型によって形成される。これにより、支持リング１９に対して一体化されたメンブランが形成される。支持リング１９は、適切であれば着脱可能な態様でもって、フレーム３に対して固定され得るよう構成される。この例においては、支持リング１９は、フレームのリム２０に対して係合することができる。
【００６２】
図１７の例においては、洗浄部材４を、図１４および図１５に示すものとは異なる方法でもって、スナップ止めによって、フレーム３に対して直接的に固定し得ることがわかる。この例においては、フレーム３は、環状グルーブ２０を有しており、この環状グルーブ２０に対して、洗浄部材４の周縁部上に形成されたリム２１を係合させることができる。
【００６３】
図１８は、フレーム３に対しての洗浄部材４の他の固定手法を示している。この例においては、洗浄部材４は、洗浄表面５を有したエラストマーメンブランとされており、フレーム３に対して適切に螺着し得るリング２３に対して、周縁部が固定されている。
【００６４】
図１９に示すように、ハンドル２に対しての洗浄部材４のこの着脱可能な連結により、使用者は、互いに異なる複数の洗浄表面５を有している様々な洗浄部材４の利点を享受することができる。
【００６５】
よって、使用者は、実施すべき処理に応じて、洗浄部材４を選択することができる。
【００６６】
適切であれば、ハンドル２には、１つまたは複数の様々に異なる洗浄部材４を付設することができる。付加的には、ハンドル２には、１つまたは複数のマッサージ部材２８を付設することができ、および／または、フレーム３に対して適切に取り付け得るものとされなおかつ接触する皮膚をマッサージし得るよう構成されたアプリケータ部材を付設することができる。
【００６７】
図２１は、洗浄部材４をハンドルのヘッド３に対して恒久的に固定するという可能性と、ヘッドをハンドル形成ボディ９に対して着脱可能に固定するという可能性と、を示している。ヘッドとハンドル形成ボディ９との着脱可能な固定は、例えば、ヘッド３の凹凸形状と、ボディ９の凹凸形状との、相補形状を利用して行われる。この着脱可能な固定は、例えば、スナップ止めや、螺着、とすることができる。
【００６８】
図２２および図２３に示すように、洗浄部材４は、洗浄表面５とは反対側の面上に、フィンガー３６を有したものとして形成することができる。このフィンガー３６は、付加的には、中央位置に配置される。あるいは、変形例においては、中央位置から位置ズレした位置に配置される。
【００６９】
使用者は、フィンガー３６を、このフィンガーの長軸方向に押圧することによって、洗浄部材４を引き伸ばして、洗浄表面５を変形させることができる。また、使用者は、フィンガー３６を、横方向に押圧することによって、洗浄表面５を変形させることができる。例えば、図２３に示すように、洗浄表面５内に少なくとも１つの波形を形成することができる。
【００７０】
洗浄部材４をフレーム３に対して固定した状態においては、使用者は、使用者自身の指を使用して、洗浄表面５とは反対側の面１３を直接的に押圧することができる。あるいは、図２４に示すように、中間部材３８を使用して、洗浄表面５とは反対側の面１３を押圧することができる。ここで、中間部材３８は、ハンドル２に対して一体的に形成されたものであって、例えばフィルムヒンジ３９を介して、ハンドル２に対して連接されている。
【００７１】
洗浄表面５は、様々な構成を有することができる。例示するならば、図１〜図６を参照して上述した方法を使用して形成されたキャビティは、互いに同心的な領域４０〜４２にわたって延在することができる。各領域内におけるすべてのキャビティは、例えば、実質的に同じ特性を示すものとされる。
【００７２】
上述したすべての例においては、図２６に示すように、ハンドル２は、マッサージ部材４６を備えることができる。マッサージ部材４６は、例えば、ボディ９の長手方向軸線Ｘに対して垂直な回転軸線Ｚ回りに回転可能なものとして、取り付けることができる。
【００７３】
ハンドル２に対して固定することに代えて、洗浄表面５は、レセプタクル５１を閉塞するための蓋５０に対して固定することができる。例えば、レセプタクルは、皮膚に対して適用するためのフィルム形成組成物を収容している。例示するならば、図２７に示すように、マッサージ表面５は、蓋５０の頂部５２に固定されたマッサージ部材４によって形成される。
【００７４】
使用者は、レセプタクル５１から蓋５０を取り外すことによって、組成物を取り出して適用することができ、これにより、マスクを形成することができる。
【００７５】
マスクによる処理の終了後に、使用者は、蓋５０を所定位置に維持したまま（レセプタクル５１に対して取り付けたまま）、レセプタクル５１をハンドル部材として使用することにより、皮膚に対して洗浄部材４に擦り付けることによって、マスクを除去することができる。
【００７６】
組成物の適用は、手や、指や、あるいは、適用部材、を使用することにより、様々な態様で行うことができる。適用部材は、組成物を収容しているレセプタクルからは自由なものとすることができる、あるいは、レセプタクルを閉塞するための蓋からは自由なものとすることができる、あるいは、少なくとも組成物の適用時にはレセプタクルまたは蓋に対して固定することができる。
【００７７】
適用部材は、適切であれば、少なくとも組成物の適用時には、洗浄部材４に対して固定することができる。
【００７８】
図２８は、調整して適用するためのキットの一例を示している。この場合、適用部材は、組成物を収容しているレセプタクルに対して固定されているとともに、ボールの形態とされている。このような例においては、洗浄部材４は、例えば、レセプタクルの蓋に対して固定される。
【００７９】
図２９の例においては、適用部材は、レセプタクルを閉塞するための蓋５０に対して固定されている。適用部材は、例えば、洗浄部材４とは反対側に配置されている。これにより、蓋５０を所定位置に配置した際には、レセプタクルの座６０に対して係合することができる。
【００８０】
座６０には、１つまたは複数の開口５７が設けられている。これら開口５７により、適用部材５５を受領するハウジングに対して、組成物を供給することができる。適用部材５５は、例えば、発泡体、あるいは、焼結材料、あるいは、少なくとも表面上に組成物を保持し得るような他の任意の部材、とされる。
【００８１】
図３０の例においては、適用部材５５は、適用時にはレセプタクルに対して固定される。適用部材５５は、例えば、発泡体、あるいは、焼結材料、あるいは、少なくとも蓋５０を取り外した状態でレセプタクルのネックを起点として延在するような他の任意の浸透性部材、とされる。
【００８２】
適用部材５５に対しての供給は、例えば、毛細管現象によって、あるいは、レセプタクルの上下をひっくり返した際の重力の作用によって、あるいは、レセプタクル５１の壁を押圧することに基づいて形成された過圧によって、行うことができる。
【００８３】
図３１に示すように、物質は、また、ポンプ６１によって、適用部材に対して供給することができる。
【００８４】
また、ポンプは、適用部材を一切使用することなく、使用することができる。その場合、使用者は、ポンプ出口のところにおいて直接的にサンプルを採取し、例えば指や手によって、処理対象領域上へと、サンプルを適用することができる。
【００８５】
図３２の例においては、ポンプ６１は、可動ピストン６３と関連している。これにより、エア取込を行う操作を必要とすることなく、組成物を採取することができる。
【００８６】
図３３の例においては、レセプタクル５１は、チューブとされており、組成物は、例えば、適用部材を一切使用することなく、チューブのネック６４を通して直接的に供給される。
【００８７】
特に、図２７〜図３３におけるすべての例においては、洗浄部材４は、様々なものとすることができる。例えば、蓋５０に対して、着脱可能な態様で取り付けることができる。洗浄部材４は、他の形状のものとすることができる。例えば、互いに異なる表面粗さを有した少なくとも２つのファセットを備えることができる。
【００８８】
本発明は、上述した様々な例示に限定されるものではなく、図示していないものの、本発明の変形例においては、それら例示における様々な特徴点を互いに組み合わせることができる。
【００８９】
例えば、洗浄デバイスには、バイブレーターを設けることができる。
【００９０】
『１つのものを備えている』という用語が、特に断らない限り、『少なくとも１つのものを備えている』という用語と同義であることは、理解されるであろう。
【図面の簡単な説明】
【００９１】
【図１】皮膚洗浄表面を形成可能とする方法における各ステップを概略的に示す図である。
【図２】皮膚洗浄表面を形成可能とする方法における各ステップを概略的に示す図である。
【図３】皮膚洗浄表面を形成可能とする方法における各ステップを概略的に示す図である。
【図４】皮膚洗浄表面を形成可能とする方法における各ステップを概略的に示す図である。
【図５】皮膚洗浄表面を形成可能とする方法における各ステップを概略的に示す図である。
【図６】皮膚洗浄表面を形成可能とする方法における各ステップを概略的に示す図である。
【図７】本発明に基づいて形成された洗浄デバイスの一例を示す長手方向断面図である。
【図８】図７のデバイスに関し、洗浄表面の弾性変形性を示す長手方向断面図である。
【図９】洗浄表面の一例を、概略的にかつ部分的に示す斜視図である。
【図１０】本発明の変形例を示す正面図である。
【図１１】図１０におけるXI−XI線に沿った長手方向断面図である。
【図１２】図１０および図１１のデバイスに関し、メンブランの弾性変形性を示す長手方向断面図である。
【図１３】図１０および図１１のデバイスに関し、メンブランの弾性変形性を示す長手方向断面図である。
【図１４】ハンドル上に洗浄部材を取り付けるための他の手法を、概略的にかつ部分的に示す長手方向断面図である。
【図１５】図１４のデバイスにおいて使用するのに適切であるような洗浄部材の変形例を、単独でもって示す概略的な軸線方向断面図である。
【図１６】洗浄デバイスの様々な変形例を、概略的にかつ部分的に示す長手方向断面図である。
【図１７】洗浄デバイスの様々な変形例を、概略的にかつ部分的に示す長手方向断面図である。
【図１８】洗浄デバイスの様々な変形例を、概略的にかつ部分的に示す長手方向断面図である。
【図１９】本発明に基づいて構成されたキットの一例を示す図である。
【図２０】本発明に基づいて構成されたキットの他の例を示す図である。
【図２１】ハンドル上に洗浄部材を取り付けるための他の手法を示す図である。
【図２２】洗浄デバイスの変形例を、概略的にかつ部分的に示す長手方向断面図である。
【図２３】図２２のデバイスに関し、洗浄表面の弾性変形性を示す長手方向断面図である。
【図２４】洗浄デバイスの他の変形例を示す長手方向断面図である。
【図２５】本発明の他の変形例を示す正面図である。
【図２６】洗浄デバイスに対してマッサージ部材を付設するという可能性を示す図である。
【図２７】本発明の様々な変形例に基づく様々な洗浄キットを概略的に示す図である。
【図２８】本発明の様々な変形例に基づく様々な洗浄キットを概略的に示す長手方向断面図である。
【図２９】本発明の様々な変形例に基づく様々な洗浄キットを概略的に示す長手方向断面図である。
【図３０】本発明の様々な変形例に基づく様々な洗浄キットを概略的に示す長手方向断面図である。
【図３１】本発明の様々な変形例に基づく様々な洗浄キットを概略的に示す長手方向断面図である。
【図３２】本発明の様々な変形例に基づく様々な洗浄キットを概略的に示す長手方向断面図である。
【図３３】本発明の様々な変形例に基づく様々な洗浄キットを概略的に示す長手方向断面図である。
【符号の説明】
【００９２】
１  洗浄デバイス
２  ハンドル
３  フレーム
４  洗浄部材
５  洗浄表面
３６  フィンガー
５０  蓋
５１  レセプタクル
Ａ  粗い表面
Ｃ  キャビティ
Ｅ  陰型
Ｍ  モールド
Ｓ  アンダーカット
【図１】
2007083040.tif 000003
【図２】
2007083040.tif 000004
【図３】
2007083040.tif 000005
【図４】
2007083040.tif 000006
【図５】
2007083040.tif 000007
【図６】
2007083040.tif 000008
【図７】
2007083040.tif 000009
【図８】
2007083040.tif 000010
【図９】
2007083040.tif 000011
【図１０】
2007083040.tif 000012
【図１１】
2007083040.tif 000013
【図１２】
2007083040.tif 000014
【図１３】
2007083040.tif 000015
【図１４】
2007083040.tif 000016
【図１５】
2007083040.tif 000017
【図１６】
2007083040.tif 000018
【図１７】
2007083040.tif 000019
【図１８】
2007083040.tif 000020
【図１９】
2007083040.tif 000021
【図２０】
2007083040.tif 000022
【図２１】
2007083040.tif 000023
【図２２】
2007083040.tif 000024
【図２３】
2007083040.tif 000025
【図２４】
2007083040.tif 000026
【図２５】
2007083040.tif 000027
【図２６】
2007083040.tif 000028
【図２７】
2007083040.tif 000029
【図２８】
2007083040.tif 000030
【図２９】
2007083040.tif 000031
【図３０】
2007083040.tif 000032
【図３１】
2007083040.tif 000033
【図３２】
2007083040.tif 000034
【図３３】
2007083040.tif 000035
【外国語明細書】
2007083040.tif 000036
2007083040.tif 000037
2007083040.tif 000038
2007083040.tif 000039
2007083040.tif 000040
2007083040.tif 000041
2007083040.tif 000042
2007083040.tif 000043
2007083040.tif 000044
2007083040.tif 000045
2007083040.tif 000046
2007083040.tif 000047
2007083040.tif 000048
2007083040.tif 000049
2007083040.tif 000050
2007083040.tif 000051
2007083040.tif 000052
2007083040.tif 000053
2007083040.tif 000054
2007083040.tif 000055
2007083040.tif 000056
2007083040.tif 000057
2007083040.tif 000058